(57)【特許請求の範囲】
【請求項１】
ハウジングと、
記憶手段に記憶されたデータを該記憶手段に保持させておくための電力を供給する電池と、
前記ハウジングに形成された開口を塞ぐ蓋体と、
前記開口から導出され、前記電池と接続されるケーブルと
を備えた電子機器であって、
前記蓋体には、前記ケーブルを保持するためのケーブル保持部が設けられ、
前記ハウジングには、電源に接続される電源端子が設けられ、
前記蓋体は、前記ハウジングに開閉可能に保持されるとともに、開状態で前記電源端子の少なくとも一側方を覆うように構成されたことを特徴とする電子機器。
【請求項２】
請求項１に記載の電子機器において、
前記蓋体は、前記ハウジングに対して回動可能に設けられ、その回動により鉛直方向下側に開くように構成されるとともに、該蓋体の閉状態を維持すべく前記ハウジングに係止される係止部を有していることを特徴とする電子機器。
【発明の詳細な説明】
【技術分野】
【０００１】
本発明は、電子機器に関するものである。
【背景技術】
【０００２】
従来、例えば特許文献１に示すような電子式の電力量計等の電子機器は、計測データ等を記憶するメモリ（例えばＳＲＡＭ）を備えている。外部電源の供給時には、メモリへのデータの書き込み及び保持はその外部電源によってなされる。一方、外部電源の非供給時には、メモリに記憶されたデータは、電子機器に内蔵された電池の電力によって保持されるようになっている。このデータ保持用の電池は、ケーブルにてハウジング内の制御回路と電気的に接続されている。
【０００３】
ところで、電子機器の出荷時において、データ用の電池は電子機器本体とは別に梱包されている。そのため、電子機器のケーブルにデータ保持用の電池を接続する作業をユーザが行う必要がある。電池に接続するケーブルは、電子機器のハウジングに設けられた蓋体を開けると現れる開口から導出されるようになっている。
【先行技術文献】
【特許文献】
【０００４】
【特許文献１】特開２０１１−２３３７０６号公報
【発明の概要】
【発明が解決しようとする課題】
【０００５】
しかしながら、出荷状態の電子機器において、ケーブルがハウジングの内部に入り込んでしまっていると、ケーブルをハウジングの開口から取り出すことが困難となる。また、ハウジング内部に入り込んでしまったケーブルをドライバー等で引っかけて取り出そうとした場合、ドライバーでハウジングの内部の基板を傷つける虞がある。
【０００６】
本発明は、上記課題を解決するためになされたものであって、その目的は、電池に接続されるケーブルがハウジングの内部に入り込んでしまうことを防止することができる電子機器を提供することにある。
【課題を解決するための手段】
【０００７】
上記課題を解決するために、請求項１に記載の発明は、ハウジングと、記憶手段に記憶されたデータを該記憶手段に保持させておくための電力を供給する電池と、前記ハウジングに形成された開口を塞ぐ蓋体と、前記開口から導出され、前記電池と接続されるケーブルとを備えた電子機器であって、前記蓋体には、前記ケーブルを保持するためのケーブル保持部が設けられ、前記ハウジングには、電源に接続される電源端子が設けられ、前記蓋体は、前記ハウジングに開閉可能に保持されるとともに、開状態で前記電源端子の少なくとも一側方を覆うように構成されたことを特徴とする。
【０００８】
この発明では、蓋体に設けられたケーブル保持部にケーブルを保持させておくことで、電池に接続されるケーブルがハウジングの内部に入り込んでしまうことを防止することができる。その結果、電池とケーブルとの接続が容易となるとともに、ハウジング内部に入り込んだケーブルを取り出す際にハウジング内部の基板等が傷ついてしまうことを防止することができる。
【０００９】
また、蓋体を開けてケーブルと電池とを接続する際に、例えば電池等が電源端子に触れてその端子間を短絡してしまうことを防止することができる。
【００１４】
請求項２に記載の発明は、請求項１に記載の電子機器において、前記蓋体は、前記ハウジングに対して回動可能に設けられ、その回動により鉛直方向下側に開くように構成されるとともに、該蓋体の閉状態を維持すべく前記ハウジングに係止される係止部を有していることを特徴とする。
【００１５】
この発明では、蓋体の係止部の係止状態を外すと、蓋体が自重で開くように構成できるため、蓋体を容易に開けることができる。
【発明の効果】
【００１７】
従って、上記記載の発明によれば、電池に接続されるケーブルがハウジングの内部に入り込んでしまうことを防止することができる。
【図面の簡単な説明】
【００１８】
【図１】実施形態の電子機器の斜視図。
【図２】同形態の電子機器の正面図。
【図３】同形態の電子機器の要部拡大図。
【図４】同形態の電子機器の要部拡大図。
【図５】同形態の電子機器の電気的構成を示すブロック図。
【図６】別例の電子機器の斜視図。
【発明を実施するための形態】
【００１９】
以下、本発明を具体化した一実施形態を図面に従って説明する。
図１及び図２に示す本実施形態の電子機器１０は、電子式の電力量計である。電子機器１０のハウジング１１は樹脂材料よりなる。ハウジング１１の正面は、上下方向の中間部位が前方に突出しており、その突出部１２の正面（前方端面）には表示部１３が設けられている。なお、本実施形態では、この表示部１３の表示の向きで電子機器１０の上下の向きを定義している。また、表示部１３が設けられた側面を正面としている。突出部１２の正面における表示部１３の側方には、メモリカード（ＳＤカード等）の差込口１４が形成されている。この差込口１４に差し込まれたメモリカードは、ハウジング１１の内部に収容されたプリント基板（図示略）に電気的に接続されるようになっている。
【００２０】
突出部１２の上部は、開閉可能な蓋体１５が設けられている。蓋体１５は、上方被覆部１６と前方被覆部１７とからなる。上方被覆部１６は、蓋体１５の閉状態において上下方向と直交する平板状をなしている。上方被覆部１６は、その後方側端部でハウジング１１に対して回動可能に支持されており、その回動軸は電子機器１０の上下方向及び前後方向と直交する幅方向に沿っている。
【００２１】
詳しくは、上方被覆部１６の後方側端部には、電子機器１０の幅方向に沿って延びる円筒状の軸部１６ａが形成され、その軸部１６ａは、ハウジング１１に形成されたそれぞれ一対の第１保持部１１ａ及び第２保持部１１ｂにて回動可能に保持されている。各第１保持部１１ａは、各第２保持部１１ｂよりも電子機器１０の幅方向内側に設けられている。各第１保持部１１ａは、電子機器１０の前方側に開口する半円弧状をなし、一方の各第２保持部１１ｂは、電子機器１０の上方側に開口する半円弧状をなしている。そして、各第１保持部１１ａは軸部１６ａの上下方向の移動を規制し、各第２保持部１１ｂは軸部１６ａの前後方向の移動を規制している。即ち、第１保持部１１ａと第２保持部１１ｂは協働して軸部１６ａを回動可能に保持している。また、第１及び第２保持部１１ａ，１１ｂは、所定の保持力で軸部１６ａを保持しているため、蓋体１５を任意の位置（角度）で保持することが可能となっている。これにより、開状態の蓋体１５が例えば自重によって意図せずに閉じてしまうことが防止されている。
【００２２】
蓋体１５の前方被覆部１７は、蓋体１５の閉状態において上方被覆部１６の前方端部から下方に突出している。また、前方被覆部１７がハウジング１１に係止されることで、蓋体１５の閉状態が維持されるようになっている。そして、蓋体１５は、前方被覆部１７が上方に向かうように回動されることで、図３に示すように開いた状態となる。
【００２３】
蓋体１５の裏面１５ａ（上方被覆部１６の裏面）は、蓋体１５の閉状態において、突出部１２の上壁部２１の壁面２１ａと上下方向に対向し、その間の空間が電池収容部２２となっている。突出部１２の上壁部２１の下方の空間は、ハウジング１１の内部空間となっており、その内部空間に前記プリント基板が配置されている。また、上壁部２１には、ハウジング１１の内部空間と電池収容部２２とを連通する開口２３が形成されている。この開口２３からは、ハウジング１１内の前記プリント基板と接続された中継ケーブル２４が導出されている。
【００２４】
電池収容部２２は、蓋体１５の裏面１５ａ、上壁部２１の壁面２１ａ、上壁部２１の幅方向端部から上方に延在する側壁面２１ｂ、及び後述する規制壁部３１とで構成されている。この電池収容部２２に収容される電池２５は、一対の端子２６及び導線２７を介して設けられた電池側コネクタ２８を有している。電池側コネクタ２８は、中継ケーブル２４の先端に設けられたケーブル側コネクタ２９に接続され、これにより、電池２５と前記プリント基板とが電気的に接続される。
【００２５】
蓋体１５の裏面１５ａには、板状の規制壁部３１が裏面１５ａに対して垂直に立設されている。規制壁部３１は、蓋体１５の閉状態において電子機器１０の前後方向に延在している。なお、規制壁部３１は、蓋体１５の上方被覆部１６に一体形成されるとともに、該規制壁部３１の前方端部で前方被覆部１７とも一体に繋がっている。規制壁部３１は、蓋体１５の閉状態において収容状態の電池２５の移動（詳しくは、電子機器１０の幅方向への移動）を規制する。
【００２６】
規制壁部３１には、ケーブル保持部としてのスリット３２が形成されている。スリット３２は、上方被覆部１６に対して垂直に形成されている。このスリット３２の幅は、中継ケーブル２４の径に対応した幅に設定されている。そして、図４に示すように、スリット３２に中継ケーブル２４を差し込むことで、中継ケーブル２４をスリット３２に保持させることが可能となっている。
【００２７】
ハウジング１１の上部突出部３３の前方端部には、電子機器１０の幅方向に並ぶ４つの計測電圧入力端子３４が設けられている。各計測電圧入力端子３４は、突出部１２の正面よりも後方に位置している。各計測電圧入力端子３４には、計測の対象となる外部機器の端子（図示略）が接続される。計測電圧入力端子３４の前方には、透明の樹脂材料よりなる端子保護壁３５が設けられている。端子保護壁３５には、端子接続用の治具を挿入するための治具挿入孔３５ａが計測電圧入力端子３４の前方位置にそれぞれ形成されている。前記蓋体１５は、開状態において端子保護壁３５と当接し、その位置において各計測電圧入力端子３４及び端子保護壁３５の前方（一側方）を覆っている。
【００２８】
各計測電圧入力端子３４は、前記プリント基板に実装された制御回路３６と電気的に接続されている。プリント基板は、図５に示すように、制御回路３６と電気的に接続されたシステム時計３７及び記憶手段としての例えばＳＲＡＭ等のメモリ３８を備えている。制御回路３６は、前記外部機器から計測電圧入力端子３４への入力電圧の一部を電子機器１０の操作電源として使用する。また、制御回路３６は、前記入力電圧を算出し、その算出した時刻の時刻データをシステム時計３７から取得する。そして、制御回路３６は、入力電圧のデータと時刻データとを関連付けてメモリ３８に記憶させる。また、制御回路３６は、メモリ３８に記憶された入力電圧のデータと時刻データを表示部１３に表示させる。なお、制御回路３６は、例えばユーザ操作に基づいてメモリ３８に記憶された入力電圧のデータと時刻データを前記メモリカードに書き込む。
【００２９】
この制御回路３６は、前記外部機器の稼働時、即ち、計測電圧入力端子３４に外部機器からの電圧が入力される時には、計測電圧入力端子３４への入力電圧にてシステム時計３７の駆動と、メモリ３８への書き込み及びメモリ３８に記憶されたデータの保持を行う。一方、外部機器の休止時、即ち、計測電圧入力端子３４に外部機器からの電圧が入力されない時には、前記電池２５の電力にてシステム時計３７の駆動とメモリ３８に記憶されたデータの保持を行う。
【００３０】
図２に示すように、ハウジング１１の下部突出部４１の前方端部には、電子機器１０の幅方向に並ぶ４つのパルス入出力用端子４２と、同じく電子機器１０の幅方向に並ぶ４つの通信端子４３とが設けられている。通信端子４３は、例えば図示しないパーソナルコンピュータと電気的に接続される。
【００３１】
次に、本実施形態の作用について説明する。
出荷状態において、電池２５は電子機器１０の本体とは別に梱包されており、電池２５のコネクタ２８を中継ケーブル２４のコネクタ２９に接続する作業をユーザが行う必要がある。ここで、出荷状態の電子機器１０では、図４に示すように、電池２５に接続されていない状態の中継ケーブル２４が蓋体１５の裏面１５ａ側のスリット３２に保持されており、これにより、中継ケーブル２４がハウジング１１の内部に入り込んでしまうことが防止されている。また、出荷状態において蓋体１５は閉状態とされ、スリット３２に保持された中継ケーブル２４が蓋体１５に覆われた状態となる。このため、スリット３２に保持された中継ケーブル２４がハウジング１１外に露出しない構成となっている。
【００３２】
ユーザは、出荷状態の電子機器１０の蓋体１５を開け、中継ケーブル２４をスリット３２から外し、その中継ケーブル２４のコネクタ２９に電池２５のコネクタ２８を接続する。このとき、ユーザは中継ケーブル２４と電池との接続作業を計測電圧入力端子３４の前方位置で行うこととなるが、計測電圧入力端子３４の前方は端子保護壁３５だけでなく開状態の蓋体１５によっても覆われるため、例えば電池２５等が計測電圧入力端子３４に触れてその端子間を短絡してしまうことがより一層防止されている。また、計測電圧入力端子３４の前方が端子保護壁３５によって覆われていることで、計測電圧入力端子３４に作業者の手などが触れて感電してしまうことが抑制されているが、本実施形態では更に、開状態の蓋体１５が端子保護壁３５と計測電圧入力端子３４の前方を覆うため、感電の虞がより一層排除されている。電池２５は、中継ケーブル２４に接続された後、電池収容部２２に収容され、その後、蓋体１５が閉状態とされる。なお、開口２３は電池２５のサイズよりも小さく設定されているため、中継ケーブル２４に電池２５が接続された状態では、中継ケーブル２４が電池２５とともに開口２３からハウジング１１の内部に入り込んでしまうことが防止されている。
【００３３】
次に、本実施形態の特徴的な効果を記載する。
（１）電子機器１０は、ハウジング１１と、メモリ３８に記憶されたデータを該メモリ３８に保持させておくための電力を供給する電池２５と、ハウジング１１に形成された開口２３を塞ぐ蓋体１５と、開口２３から導出され、電池２５と接続される中継ケーブル２４とを備える。そして、蓋体１５には、中継ケーブル２４を保持するためのケーブル保持部としてのスリット３２が設けられる。このため、蓋体１５に設けられたスリット３２に中継ケーブル２４を保持させておくことで、電池２５に接続される中継ケーブル２４がハウジング１１の内部に入り込んでしまうことを防止することができる。その結果、電池２５と中継ケーブル２４との接続が容易となるとともに、ハウジング１１内部に入り込んだ中継ケーブル２４を取り出す際にハウジング１１内部の基板等が傷ついてしまうことを防止することができる。
【００３４】
（２）スリット３２が蓋体１５の裏面１５ａに設けられるため、蓋体１５の閉状態で中継ケーブル２４をハウジング１１の内部側で保持させることができる。これにより、スリット３２への保持状態で中継ケーブル２４がハウジング１１の外部に露出しないように構成でき、その結果、スリット３２に保持された状態での中継ケーブル２４の損傷を抑制することができる。
【００３５】
（３）ケーブル保持部は、蓋体１５の裏面１５ａに立設された規制壁部３１に形成されたスリット３２である。このため、蓋体１５の規制壁部３１に形成されたスリット３２に中継ケーブル２４を差し込むだけで、中継ケーブル２４を容易に保持させることができる。
【００３６】
（４）ハウジング１１に設けられた壁面２１ａと、該壁面２１ａと対向する蓋体１５の裏面１５ａとで構成された電池収容部２２を備える。そして、蓋体１５の規制壁部３１は、電池収容部２２に収容された電池２５の移動を規制するように構成される。このため、電池２５の安定した収容状態を保つことができる。また、蓋体１５の規制壁部３１が電池２５の移動規制と中継ケーブル２４を保持する役割とを兼ねるため、ハウジング１１内部の省スペース化に寄与できる。
【００３７】
（５）ハウジング１１には、電源端子としての計測電圧入力端子３４が設けられ、蓋体１５は、開状態で計測電圧入力端子３４の前方を覆うように構成される。これにより、蓋体１５を開けて中継ケーブル２４と電池２５とを接続する際に、例えば電池２５等が計測電圧入力端子３４に触れてその端子間を短絡してしまうことを防止することができる。
【００３８】
なお、本発明の実施形態は、以下のように変更してもよい。
・上記実施形態では、蓋体１５は、突出部１２の上部に設けられて鉛直方向上側に開くように構成されたが、これ以外に例えば、図６に示すように、蓋体１５を突出部１２の下部に設けて鉛直方向下側に開くように構成してもよい。このような構成によれば、蓋体１５の前方被覆部１７とハウジング１１との係止状態を外すと、蓋体１５が自重で開くように構成できるため、蓋体１５を容易に開けることができる。なお、図６に示す構成では、上記実施形態に対して計測電圧入力端子３４とパルス入出力用端子４２及び通信端子４３とを入れ替えた構成、即ち、ハウジング１１の下部突出部４１に計測電圧入力端子３４を設け、ハウジング１１の上部突出部３３にパルス入出力用端子４２及び通信端子４３を設けた構成としている。
【００３９】
・上記実施形態では、蓋体１５はハウジング１１に対して回動可能に設けられ、その回動により開閉するように構成されたが、これ以外に例えば、蓋体１５をスライド開閉するように構成してもよく、また、取り外し式の蓋体とし、ハウジング１１から蓋体を取り外すことで開状態とする構成としてもよい。
【００４０】
・上記実施形態では、蓋体１５が開状態において計測電圧入力端子３４の前方を覆う構成としたが、蓋体１５が開状態で計測電圧入力端子３４の少なくとも一側方（計測電圧入力端子３４の側面（上面を含む）の少なくとも１つ）を覆っていればよい。例えば、上記実施形態において、蓋体１５が開状態において計測電圧入力端子３４の上方を覆う構成としてもよい。
【００４１】
・上記実施形態では、ケーブル保持部としてのスリット３２が蓋体１５の規制壁部３１に設けられたが、これ以外に例えば、蓋体１５の上方被覆部１６又は前方被覆部１７の幅方向端部から幅方向に沿ってスリットを形成してもよい。
【００４２】
・上記実施形態では、ケーブル保持部を規制壁部３１のスリット３２としたが、これ以外に例えば、中継ケーブル２４を弾性的に保持可能なフック部を蓋体１５の裏面１５ａに設けてもよい。
【００４３】
・上記実施形態では、ケーブル保持部（スリット３２）を蓋体１５に設けたが、これに特に限定されるものではなく、ハウジング１１に設けてもよい。例えば、ケーブル保持部をスリットとする場合、蓋体１５とハウジング１１との境界部分Ｂ（図１参照）から幅方向外側に延びるスリットをハウジング１１に形成してもよい。また、スリットやフック部等のケーブル保持部を、ハウジング１１における閉状態の蓋体１５と対向する位置（上記実施形態において、例えば上壁部２１）に設けてもよい。このようにハウジング１１にケーブル保持部を設ける構成であっても、上記実施形態と略同様の効果を得ることができる。
【００４４】
・上記実施形態では、電池側コネクタ２８と接続されるケーブル側コネクタ２９を中継ケーブル２４の端部に設けたが、これに特に限定されるものではなく、ケーブル側コネクタ２９を省略して中継ケーブル２４の端部を電池２５に直接接続する構成としてもよい。
【００４５】
・上記実施形態では、蓋体１５の軸部１６ａが計４つの第１及び第２保持部１１ａ，１１ｂにて保持される構成としたが、これ以外に例えば、保持部を２つのみ設け、その保持部に軸部１６ａを圧入して保持させる構成としてもよい。
【００４６】
・上記実施形態において、中継ケーブル２４と接続された電池２５を蓋体１５又は上壁部２１に固定可能な構成としてもよい。
・上記実施形態では、本発明を電力量計に適用したが、これ以外に例えば、通信ユニット等に適用してもよい。
【符号の説明】
【００４７】
１０…電子機器、１１…ハウジング、１５…蓋体、１５ａ…裏面、１７…前方被覆部（係止部）、２１…上壁部、２１ａ…壁面、２２…電池収容部、２３…開口、２４…中継ケーブル（ケーブル）、２５…電池、３１…規制壁部、３２…スリット（ケーブル保持部）、３４…計測電圧入力端子（電源端子）、３８…メモリ（記憶手段）、Ｂ…境界部分。
【図１】
0006009780.tif 000002
【図２】
0006009780.tif 000003
【図３】
0006009780.tif 000004
【図４】
0006009780.tif 000005
【図５】
0006009780.tif 000006
【図６】
0006009780.tif 000007